(57)【要約】【課題】  宝石の全体的なカット情報を確認判定できると共に、宝石のカット面に刻印されている文字も容易に確認することができる宝石カット確認器具を提供する。【解決手段】  この宝石カット確認器具は、半透明又は透明の筒状の本体部１０の上部に取り付けた第１の凸レンズ４０を設けた目当て部２０と、本体部１０の下部に取り付けられる、第２の凸レンズ６３、６４を設けた可動レンズ部６０を本体部１０の長さ方向に回動可能に軸支し宝石を覗く開口部５１を有する底部キャップ部３０とで構成され、可動レンズ部６０を本体部１０の長さ方向と平行に位置させた状態で、第１の凸レンズ４０によって低倍率で宝石全体を拡大し、可動レンズ部６０を本体部１０の長さ方向と直角とした状態で、第１の凸レンズ４０と第２の凸レンズ６３、６４を組み合わせた高倍率で前記宝石を拡大する構造である。【選択図】      図２
0003125251.tif 000002
【実用新案登録請求の範囲】
【請求項１】
半透明又は透明の筒状の本体部の上部に取り付けた第１の凸レンズを設けた目当て部と、前記本体部の下部に取り付けられる、第２の凸レンズを設けた可動レンズ部を前記本体部の長さ方向又は直径方向に回動可能に軸支した宝石を覗く開口部を有する底部キャップ部とで構成され、
前記可動レンズ部を前記本体部の長さ方向に回動した状態で、前記第１の凸レンズによって低倍率で前記宝石全体を拡大し、
前記可動レンズ部を前記本体部の直径方向に回動した状態で、前記第１の凸レンズと第２の凸レンズを組み合わせた高倍率で前記宝石を拡大する構造であることを特徴とする宝石カット確認器具。
【請求項２】
前記可動レンズ部は、中央に前記第２の凸レンズを配した開口部を有する基部と、前記底部キャップ部に設けた軸受け部に軸支される軸と、当該軸から一体に延び、前記底部キャップ部の外部に露出する操作部とで構成されることを特徴とする請求項１に記載の宝石カット確認器具
【請求項３】
前記本体部の内周面に、複数の色で色分けされ又は単色のフィルム材を取り外し可能に配したことを特徴とする請求項１又は請求項２に記載の宝石カット確認器具。
【考案の詳細な説明】
【技術分野】
【０００１】
本考案は、ダイヤ等の宝石を確認判定するための宝石カット確認器具に関し、特に、宝石を拡大して効果的にカット状態の確認でき、かつカット面に刻印された文字等を確認することを可能とする宝石カット確認器具に関する。
【背景技術】
【０００２】
従来、宝石のカット状態を確認判定するには、宝石を一粒ずつ取り出して直接ルーペで拡大して確認するといった方法が一般的である。
【０００３】
また、近年、指輪やネックレス等に用いられた宝石や粒の状態のままの宝石のカット面の一部に、宝石を贈った日付や贈った相手の名前等の文字あるいは記号等を刻印するといったサービスが実施されており、そのような場合、やはりルーペを用いて拡大することで刻印された文字などを確認することになる。
【０００４】
なお、宝石を拡大してカット面を確認するためのルーペとしては、例えば、登録実用新案第３１１０３２６号（特許文献１）等に開示される構造のものが提案されている。
【特許文献１】登録実用新案第３１１０３２６号
【考案の開示】
【考案が解決しようとする課題】
【０００５】
上述したように従来の宝石を一粒ずつルーペで拡大する確認判定方法では、ルーペ単体の倍率に限りがあることから、これまでのルーペで拡大するだけでは宝石のカット面に刻印した極めて小さな文字などを十分明瞭に確認することができないという問題があった。
【０００６】
また、ルーペで拡大するだけの確認判定方法では、宝石のカットに精通した専門家であれば容易に確認判定することができるが、一般の所有者が簡単にカット状態を確認判定することが難しいという問題もあった。
【０００７】
本考案の目的は、上記従来の欠点を解決するため、宝石の全体的なカット情報を確認判定できると共に、宝石のカット面に刻印されている文字も容易に確認することができる宝石カット確認器具を提供することにある。
【０００８】
また、本考案の他の目的は、専門家でない一般の宝石の所有者でも簡単に宝石のカット状態を確認判定することができる宝石カット確認器具を提供することにある。
【課題を解決するための手段】
【０００９】
上記目的を達成する本考案による宝石カット確認器具は、半透明又は透明の筒状の本体部の上部に取り付けた第１の凸レンズを設けた目当て部と、前記本体部の下部に取り付けられる、第２の凸レンズを設けた可動レンズ部を前記本体部の長さ方向又は直径方向に回動可能に軸支した宝石を覗く開口部を有する底部キャップ部とで構成され、
前記可動レンズ部を前記本体部の長さ方向に回動した状態で、前記第１の凸レンズによって低倍率で前記宝石全体を拡大し、
前記可動レンズ部を前記本体部の直径方向に回動した状態で、前記第１の凸レンズと第２の凸レンズを組み合わせた高倍率で前記宝石を拡大する構造であることを特徴とする。
【００１０】
請求項２の本考案による宝石カット確認器具は、前記可動レンズ部は、中央に前記第２の凸レンズを配した開口部を有する基部と、前記底部キャップ部に設けた軸受け部に軸支される軸と、当該軸から一体に延び、前記底部キャップ部の外部に露出する操作部とで構成されることを特徴とする。
【００１１】
請求項３の本考案による宝石カット確認器具は、前記本体部の内周面に、複数の色で色分けされ又は単色のフィルム材を取り外し可能に配したことを特徴とする。
【考案の効果】
【００１２】
本考案の宝石カット確認器具によれば、拡大倍率を低倍率と高倍率に切替えることができるため、簡単に、宝石の全体的なカット情報を確認判定できると共に、宝石のカット面に刻印されている文字等の確認も容易に行うことができるようになる。
【００１３】
また、専門家でない一般の宝石の所有者でも簡単に宝石のカット状態を確認判定することが可能となる。
【考案を実施するための最良の形態】
【００１４】
以下、本考案の実施の形態について図面を参照して詳細に説明する。本考案の好適な実施の形態による宝石カット確認器具の外観斜視図を図１に、その分解斜視図を図２に示す。
【００１５】
図において、本実施の形態による宝石カット確認器具は、筒状の本体部１０と、本体部１０上部の開口部に取り付けられ、宝石を覗くための目当て部２０と、底部キャップ部３０とで構成される。
【００１６】
上記目当て部２０には、図３に示すように、宝石全体を拡大してカット状態を確認するための所定の倍率（数倍）を有する凸レンズ４０が設けられている。
【００１７】
上記本体部１０及び目当て部２０は、例えば、半透明又は透明のプラスチック等により形成されている。
【００１８】
本体部１０内には、図４、図１２に示すように、所定の色（赤や青等の白黒以外の色）の透明又は半透明のフィルム材７０が丸めた状態で取り外し可能に配されている。
【００１９】
底部キャップ部３０は、本体部１０の下部に取り付けられており、本体部１０下部の開口部に挿入して嵌められる。底部キャップ部５０内には、可動レンズ部６０が回動可能に取り付けられている。
【００２０】
底部キャップ部３０の構造を図５〜図７に示す。底部キャップ部３０の下部には宝石を見るための開口部５１が形成され、上部には本体部１０の下端が嵌るフランジ部５３が形成されている。また、底部キャップ部３０の中心より偏心した位置には、一端側が外部に開口する軸受け部５２が形成されている。
【００２１】
図８〜図１０に示すように、可動レンズ部６０は、中央に開口部６２を有する基部６１と、基部６１の一端に一体的に形成された軸部６５と操作部６６とで構成されている。
【００２２】
開口部６２には、２枚の凸レンズ６３、６４が設けられている。この凸レンズ６３、６４の合成倍率は、目当て部２０の凸レンズ４０との組み合わせた倍率が数十倍となる倍率（高倍率）に設定されている。例えば、目当て部２０の凸レンズ４０の倍率が４倍で、凸レンズ６３、６４の合成倍率が５倍であれば、凸レンズ４０と凸レンズ６３、６４を組み合わせることにより２０倍の倍率が得られるようになっている。
【００２３】
軸部６５は、底部キャップ部３０に設けられた軸受け部５２に回動可能に軸支され、軸部６５と一体に形成された操作部６６が底部キャップ部３０の外部に延びて露出するようになっている。
【００２４】
また、可動レンズ部６０を底部キャップ部３０に嵌め込んで可動レンズ部６０を本体部１０の長さ方向と直角の状態とした場合、可動レンズ部６０の開口部６２が本体部１０及び底部キャップ部３０の中央に位置するように構成されている。可動レンズ部６０を底部キャップ部３０に嵌め込んだ状態を、図１１に示す。
【００２５】
外部に延びる操作部６６を、本体部１０の長さ方向と直角になるまで回動すると、図１３に示すように可動レンズ部６０が軸部６５を中心に回動して底部キャップ部３０内で水平の状態となる。その状態では、基部６１の先端部分が、底部キャップ部３０の開口部５１の上端部分５１ａに当接することで、水平状態が保持されるようになっている。
【００２６】
また、外部に延びる操作部６６を、本体部１０の長さ方向と平行になるまで回動すると、図１４に示すように可動レンズ部６０が軸部６５を中心に回動して底部キャップ部３０内で本体部１０内壁側に収納された状態となる。
【００２７】
次いで、上記のように構成される本実施の形態による宝石カット確認器具の使用方法について図を参照して説明する。
【００２８】
ダイヤ等の宝石１００の全体（カット状態）を確認判定する場合、まず、底部キャップ部３０から外部に延びる操作部６６を、本体部１０の長さ方向と平行になるまで回動する。
【００２９】
これにより、図１４に示すように可動レンズ部６０が軸部６５を中心に回動して底部キャップ部３０内で本体部１０内壁側に収納された状態となる。
【００３０】
この状態で、目当て部２０から凸レンズ４０によって底部キャップ部３０の開口部５１を通して宝石１００を覗く。
【００３１】
目当て部２０から宝石１００を覗いた状態を図１５に示す。本実施の形態の宝石カット確認器具では、宝石１００が凸レンズ４０によって拡大されると共に、透明又は半透明の本体部１０内に所定の色のフィルム材７０を配したことにより、外部から本体部１０内に入った光がフィルム材７０の色となって拡大された宝石１００に当たるため、カット状態によって色の濃い部分と薄い部分が現れる。例えば、図１５では、色の濃い部分を斜線付きで示している。すなわち、フィルム材７０の色の濃淡によって宝石１００のカット状態が浮き上がって見えるのである。
【００３２】
上記のように、凸レンズ４０によって拡大された宝石１００のカット状態がフィルム材７０の色による綺麗な濃淡となって現れて見えるため、宝石１００のカット状態の確認判定が極めて容易となり、カットの判定に経験を持たない者でもカット状態の確認判定ができるようになる。また、宝石１００のカット状態が綺麗な色の濃淡となって現れるため、見る楽しみも得られる。
【００３３】
ダイヤ等の宝石１００のカット部分に刻印した文字や記号等を確認判定する場合には、底部キャップ部３０から外部に延びる操作部６６を、本体部１０の長さ方向と直角になるまで回動する。
【００３４】
これにより、図１３に示すように可動レンズ部６０が軸部６５を中心に回動して底部キャップ部３０内で水平の状態となる。
【００３５】
この状態で、目当て部２０から凸レンズ４０及び凸レンズ６３、６４によって底部キャップ部３０の開口部５１を通して宝石１００を覗く。
【００３６】
目当て部２０から宝石１００の部分Ａを覗いた状態を図１６に示す。凸レンズ４０と凸レンズ６３、６４の合成倍率により高倍率が得られるので、図１６に示すように、宝石１０の一部分（例えば、部分Ａ）のみを拡大して見ることができる。
【００３７】
この結果、肉眼や凸レンズ４０によっては確認できなかった、宝石１００のカット部分に刻印された文字や記号（図１６では、「WITH MY LOVE」の文字）を明瞭に確認することが可能となる。
【００３８】
なお、この場合にも、外部から本体部１０内に入った光がフィルム材７０の色となって拡大された宝石１００に当たることで、カット状態によって色の濃い部分と薄い部分が現れ、宝石１００のカット状態が浮き上がって見える。
【００３９】
なお、本考案は上述した実施の形態に限定されるものではなく、その技術思想の範囲内において様々に変形して実施することができる。
【００４０】
上記実施の形態では、底部キャップ部３０に可動レンズ部６０を回動可能に設けた構成を示したが、可動レンズ部６０を設けない開口部５１だけを有する底部キャップ部３０と、図１７に示すように、内部に凸レンズ８１、８２を配した底部キャップ部８０とを用意し、底部キャップ部３０と８０を本体部１０に付け替えるように構成してもよい。
【００４１】
すなわち、低い倍率で宝石１００全体のカットを確認する場合、底部キャップ部３０を取り付け、高倍率で宝石１００の一部を拡大する場合には、底部キャップ部８０に付け替える。
【００４２】
または、図１７に示すような、底部キャップ部８０だけとし、低い倍率で宝石１００全体のカットを確認する場合には、底部キャップ部８０を取り外した状態とし、高倍率で宝石１００の一部を拡大する場合には、底部キャップ部８０を取り付けるようにしてもよい。
【００４３】
また、上記実施の形態では、フィルム材７０を単色とした例を示したが、複数種の色によって色分けしたフィルム材を本体部１０内に配するようにしてもよい。この場合、複数種の色による光の濃淡でカット状態が浮き上がるため、カット状態がより鮮やかに彩られて現れ、見て楽しむという要素が拡大する。
【図面の簡単な説明】
【００４４】
【図１】本考案の好適な実施の形態による宝石カット確認器具の外観斜視図である。
【図２】本考案の好適な実施の形態による宝石カット確認器具の分解斜視図である。
【図３】本考案の好適な実施の形態による宝石カット確認器具の目当て部の縦断面図である。
【図４】本考案の好適な実施の形態による宝石カット確認器具の本体部の縦断面図である。
【図５】本考案の好適な実施の形態による宝石カット確認器具の底部キャップ部の平面図である。
【図６】本考案の好適な実施の形態による宝石カット確認器具の底部キャップ部の断面図である。
【図７】本考案の好適な実施の形態による宝石カット確認器具の底部キャップ部の側面図である。
【図８】本考案の好適な実施の形態による宝石カット確認器具の可動レンズ部の平面図である。
【図９】本考案の好適な実施の形態による宝石カット確認器具の可動レンズ部の側面図である。
【図１０】本考案の好適な実施の形態による宝石カット確認器具の可動レンズ部の断面図である。
【図１１】本考案の好適な実施の形態による宝石カット確認器具の底部キャップ部に可動レンズ部を嵌め込んだ状態を示す図である。
【図１２】本考案の好適な実施の形態による宝石カット確認器具の本体部とフィルム材を示す斜視図である。
【図１３】本考案の好適な実施の形態による宝石カット確認器具の可動レンズ部をセットした状態を示す断面図である。
【図１４】本考案の好適な実施の形態による宝石カット確認器具の可動レンズ部を収納した状態を示す断面図である。
【図１５】本考案の好適な実施の形態による宝石カット確認器具によって宝石全体を低倍率で拡大して見た状態を示す図である。
【図１６】本考案の好適な実施の形態による宝石カット確認器具によって宝石の一部を高倍率で拡大して見た状態を示す図である。
【図１７】本考案の他の実施の形態による宝石カット確認器具の底部キャップ部の構造を示す断面図である。
【符号の説明】
【００４５】
１０：本体部
２０：目当て部
３０：底部キャップ部
４０：凸レンズ
５１：開口部
５２：軸受け部
５３：フランジ部
６０：可動レンズ部
６１：基部
６２：開口部
６３、６４：凸レンズ
６５：軸部
６６：操作ハンドル
７０  フィルム材
８０：底部キャップ部
８１、８２：凸レンズ
１００  宝石
【図１】
0003125251.tif 000003
【図２】
0003125251.tif 000004
【図３】
0003125251.tif 000005
【図４】
0003125251.tif 000006
【図５】
0003125251.tif 000007
【図６】
0003125251.tif 000008
【図７】
0003125251.tif 000009
【図８】
0003125251.tif 000010
【図９】
0003125251.tif 000011
【図１０】
0003125251.tif 000012
【図１１】
0003125251.tif 000013
【図１２】
0003125251.tif 000014
【図１３】
0003125251.tif 000015
【図１４】
0003125251.tif 000016
【図１５】
0003125251.tif 000017
【図１６】
0003125251.tif 000018
【図１７】
0003125251.tif 000019